(57)【要約】【課題】  メンテナンス等が必要とされる中間のガイドパイプの着脱作業が容易に行える水中ポンプのポンプガイド機構を提供する。【解決手段】  上下方向延設状に配置された排水管３に、上下方向に離隔して装着される中間ガイドホルダ２０が、上向嵌合ボス部２９ａを備える上側支持アーム２５と、下向嵌合ボス部３０ａを備える下側支持アーム２６とを別体で備える。中間ガイドホルダ２０は、排水管３に装着される支持基板２１を備え、該支持基板２１に対して上側支持アーム２５および下側支持アーム２６がそれぞれ着脱自在とされている。【選択図】    図１
2007138859.tif 000002
【特許請求の範囲】
【請求項１】
槽内底部に設置された連結管の一端開口部に接続されると共に上下方向延設状に配置された排水管に、上下方向に離隔して装着されると共にその支持アームの延設端部で上下方向にそれぞれ突出状に備えられた上向嵌合ボス部と下向嵌合ボス部を有する複数の中間ガイドホルダと、上側中間ガイドホルダの前記下向嵌合ボス部と下側中間ガイドホルダの前記上向嵌合ボス部とがそれぞれ上端部および下端部に嵌入されて支持されたガイドパイプと、最上部の中間ガイドホルダの前記上向嵌合ボス部と前記槽の上部に配置された上ガイドホルダに備えられた下方向突出状の下向嵌合ボス部とがそれぞれ上端部および下端部に嵌入されて支持されたガイドパイプと、最下部の中間ガイドホルダの前記下向嵌合ボス部と前記設置された連結管側に備えられた上方向突出状の上向嵌合ボス部とがそれぞれ上端部および下端部に嵌入されて支持されたガイドパイプとを備え、
前記槽内に据え付けられる水中ポンプを、前記各ガイドホルダおよび前記各ガイドパイプを介して上下方向に沿って案内し、前記連結管の他端開口部に対して自動的に接続する水中ポンプのポンプガイド機構において、
前記中間ガイドホルダが、前記上向嵌合ボス部を備える上側支持アームと、前記下向嵌合ボス部を備える下側支持アームとを別体で備えると共に、それぞれ独立して前記排水管側に前記装着自在とされていることを特徴とする水中ポンプのポンプガイド機構。
【請求項２】
請求項１に記載の水中ポンプのポンプガイド機構において、
前記中間ガイドホルダは、前記排水管に装着される支持基板を備え、該支持基板に対して前記上側支持アームおよび前記下側支持アームがそれぞれ着脱自在とされていることを特徴とする水中ポンプのポンプガイド機構。
【発明の詳細な説明】
【技術分野】
【０００１】
本発明は、マンホール等の貯水槽等において、水中ポンプを上下方向に沿って案内し、自動的に据え付けることができるポンプガイド機構に関し、特に、ガイドパイプを継ぎ合わせて使用する必要がある深い槽に適した水中ポンプのポンプガイド機構に関するものである。
【背景技術】
【０００２】
この種の水中ポンプ設備におけるポンプガイド機構に用いられるガイドパイプは、所定長さに製造された定尺のパイプ材が一般に採用されている。そして、槽の深さが深い場合には、そのようなガイドパイプを適宜本数、継ぎ合わせて使用する方式が採用されていた（例えば、特許文献１および特許文献２参照。）。
【０００３】
そして、特に深いマンホール等の貯水槽においては、図４ないし図７に示されるように、貯水槽１内の底部に連結管２が設置され、連結管２の一端開口部である導出口部２ａには、上下方向延設状に配置された排水管３の下端部が液密状に接続された構造とされ、この排水管３に、ステンレス材等からなるガイドパイプ４を支持するための中間ガイドホルダ５が上下方向に離隔して複数装着される構造とされていた。なお、排水管３もフランジ接合等により所望長さを確保すべく、適宜継ぎ合わせる構造とされている。
【０００４】
各中間ガイドホルダ５は、Ｕボルト６を介して排水管３に着脱自在に取付け固定される支持基板７を備え、支持基板７における排水管３側の側面には固定状態安定用の当て板８が溶接等により固定され、反対側の側面にはガイドパイプ４を支持するための支持アーム９が溶接等により延設状に固定された構造とされている。
【０００５】
また、支持アーム９は支持基板７に固定のアーム基部９ａと、該アーム基部９ａの先端部に固定されると共に先端部で適宜間隔を有する二股部９ｂとからなり、二股部９ｂの先端部内面側に、それぞれ互いに所定間隔を有して上下方向の軸心を有するボス支柱１０が溶接等により固定されている。このボス支柱１０は、ガイドパイプ４の外径と略同径の外径を有しており、ボス支柱１０の上部および下部には、ガイドパイプ４の内径よりも僅かに細径とされた上向嵌合ボス部１０ａと下向嵌合ボス部１０ｂとがそれぞれ備えられた構造とされている。
【０００６】
そして、連結管２側に備えられた上方向突出状の各上向嵌合ボス部１１と最下部の中間ガイドホルダ５における各ボス支柱１０の各下向嵌合ボス部１０ｂとの相互間にわたって、ガイドパイプ４の上端部および下端部がそれぞれ相対的に嵌入されて支持され、その各ボス支柱１０の各上向嵌合ボス部１０ａとその上側に配置された中間ガイドホルダ５における各ボス支柱１０の各下向嵌合ボス部１０ｂとの相互間にわたって、ガイドパイプ４の上端部および下端部がそれぞれ相対的に嵌入されて支持されている。
【０００７】
さらに同様にして、順次上下の中間ガイドホルダ５間にわたってガイドパイプ４が支持され、最上部の中間ガイドホルダ５における各ボス支柱１０の各上向嵌合ボス部１０ａと貯水槽１の上部の開口部１２周縁部に装着された上ガイドホルダ１３の延設端部にそれぞれ備えられた下方向突出状の各下向嵌合ボス部１４との相互間にわたって、ガイドパイプ４の上端部および下端部がそれぞれ相対的に嵌入されて支持され、これら各ガイドパイプ４、各中間ガイドホルダ５等により水中ポンプ１５を上下方向に沿って案内するポンプガイド機構が構成されていた。
【０００８】
水中ポンプ１５の吐出口部１５ａ側には、ポンプガイド機構の各ガイドパイプ４等に沿って上下方向にスライド案内されるスライダ１６が備えられており、昇降用クサリ１７等で吊り下げられた水中ポンプ１５のスライダ１６を、ポンプガイド機構の上方より各ガイドパイプ４間に案内し、各ガイドパイプ４等に沿ってスライダ１６による案内下、漸次下降操作することにより、最終的に下端位置で水中ポンプ１５の吐出口部１５ａと連結管２の他端開口部である導入口部２ｂとが、自動的に液密状に接続される構造とされていた。
【０００９】
【特許文献１】実開昭５７−１９３９９９号公報
【特許文献２】特開平９−４０４４号公報
【発明の開示】
【発明が解決しようとする課題】
【００１０】
しかしながら、上記従来のポンプガイド機構によれば、下側のガイドパイプ４から順次、上方向に継ぎ合わせて立設していく方式であり、下部側に位置する中間のガイドパイプ４の破損等によりメンテナンスが必要となった場合には、上の方から順次、上ガイドホルダ１３を取り外し、各Ｕボルト６を外して各中間ガイドホルダ５を取り外していく必要があるため、目的とするガイドパイプ４位置にたどり着くまで多くの作業時間を要すると共に、メンテナンスが不要な部分も一旦取り外し、その後に再度装着する必要があり、メンテナンス作業が面倒なものとなっていた。
【００１１】
そこで、本発明は上記問題点に鑑み、メンテナンス等が必要とされる中間のガイドパイプの着脱作業が容易に行える水中ポンプのポンプガイド機構を提供することを目的とする。
【課題を解決するための手段】
【００１２】
上記課題を解決するための技術的手段は、槽内底部に設置された連結管の一端開口部に接続されると共に上下方向延設状に配置された排水管に、上下方向に離隔して装着されると共にその支持アームの延設端部で上下方向にそれぞれ突出状に備えられた上向嵌合ボス部と下向嵌合ボス部を有する複数の中間ガイドホルダと、上側中間ガイドホルダの前記下向嵌合ボス部と下側中間ガイドホルダの前記上向嵌合ボス部とがそれぞれ上端部および下端部に嵌入されて支持されたガイドパイプと、最上部の中間ガイドホルダの前記上向嵌合ボス部と前記槽の上部に配置された上ガイドホルダに備えられた下方向突出状の下向嵌合ボス部とがそれぞれ上端部および下端部に嵌入されて支持されたガイドパイプと、最下部の中間ガイドホルダの前記下向嵌合ボス部と前記設置された連結管側に備えられた上方向突出状の上向嵌合ボス部とがそれぞれ上端部および下端部に嵌入されて支持されたガイドパイプとを備え、前記槽内に据え付けられる水中ポンプを、前記各ガイドホルダおよび前記各ガイドパイプを介して上下方向に沿って案内し、前記連結管の他端開口部に対して自動的に接続する水中ポンプのポンプガイド機構において、前記中間ガイドホルダが、前記上向嵌合ボス部を備える上側支持アームと、前記下向嵌合ボス部を備える下側支持アームとを別体で備えると共に、それぞれ独立して前記排水管側に前記装着自在とされている点にある。
【００１３】
また、前記中間ガイドホルダは、前記排水管に装着される支持基板を備え、該支持基板に対して前記上側支持アームおよび前記下側支持アームがそれぞれ着脱自在とされている構造としてもよい。
【発明の効果】
【００１４】
以上のように、本発明の水中ポンプのポンプガイド機構によれば、中間ガイドホルダが、上向嵌合ボス部を備える上側支持アームと、下向嵌合ボス部を備える下側支持アームとを別体で備えると共に、それぞれ独立して排水管側に装着自在とされているため、ポンプガイド機構における排水管に装着された上下の中間ガイドホルダ間にわたって支持されている中間のガイドパイプのメンテナンス時等においては、上側の中間ガイドホルダにおける下側支持アームと、下側の中間ガイドホルダにおける上側支持アームとをそれぞれ排水管側から取り外すことにより、目的とする中間のガイドパイプのみが着脱可能となり、着脱作業を容易に行うことができる。従って、メンテナンスが必要とされる中間のガイドパイプのメンテナンス作業を容易に行うことができる利点がある。
【００１５】
また、中間ガイドホルダは、排水管に装着される支持基板を備え、該支持基板に対して上側支持アームおよび下側支持アームがそれぞれ着脱自在とされている構造とすれば、支持基板に対する上側支持アームや下側支持アームの着脱によって、メンテナンス等が必要とされる中間のガイドパイプの着脱作業を容易に行うことができる利点がある。
【００１６】
さらに、排水管に装着された支持基板に対して上側支持アームや下側支持アームを着脱する構造であり、支持基板を取り外す必要がないため、支持基板の装着位置が変わらず、ガイドパイプの上下方向の位置合わせも容易に行え、この点からもメンテナンス作業を容易に行える利点がある。
【発明を実施するための最良の形態】
【００１７】
以下、本発明の実施形態を図面に基づいて説明する。なお、前記従来構造と同様の構成部分は同一符号を付し、その説明を省略する。
【００１８】
即ち、図１ないし図３に示されるように、本実施形態においても、ポンプガイド機構における中間ガイドホルダ２０は、前述同様、矩形平板状の支持基板２１と、該支持基板２１を排水管３に装着するためのＵボルト２２およびそれに螺合締結されるナット２３を備え、支持基板２１の一側面には排水管３に対する固定状態安定用の当て板２４がそれぞれ溶接等により適宜固定されている。
【００１９】
また、前述の支持アーム９で構成される部分は、いわゆる上下に２分割状とした上側支持アーム２５と下側支持アーム２６との別体構造とされ、上下の各支持アーム２５，２６は、それぞれ支持基板２１の他側面にボルト２７とナット２８とにより着脱自在に取付け固定される取付基板２５ａ，２６ａと、各取付基板２５ａ，２６ａに溶接等により固定のアーム基部２５ｂ，２６ｂと、各アーム基部２５ｂ，２６ｂの先端部に固定されると共に先端部で適宜間隔を有する二股部２５ｃ，２６ｃとから構成されている。
【００２０】
そして、それぞれの二股部２５ｃ，２６ｃの先端部内面側には、それぞれ互いに所定間隔を有して上下方向の軸心を有するボス支柱２９，３０が溶接等により固定されている。これら各ボス支柱２９，３０は、ガイドパイプ４の外径と略同径の外径を有しており、上側支持アーム２５における各ボス支柱２９の上部には、ガイドパイプ４の内径よりも僅かに細径とされた上向嵌合ボス部２９ａがそれぞれ備えられ、下側支持アーム２６における各ボス支柱３０の下部には、ガイドパイプ４の内径よりも僅かに細径とされた下向嵌合ボス部３０ａがそれぞれ備えられた構造とされている。
【００２１】
そして、支持基板２１に上下の各支持アーム２５，２６が取付け固定された状態において、上下の各ボス支柱２９，３０は上下方向に互いの軸心が一致するように構成されている。なお、本実施形態では、支持基板２１に各支持アーム２５，２６が取付け固定された状態で、上下の各支持アーム２５，２６や上下の各ボス支柱２９，３０は上下方向に対して互いに重合状態となる構造とされている。
【００２２】
本実施形態は以上のように構成されており、ポンプガイド機構の組付けに際しては従来同様、下側のガイドパイプ４から順次、上方向に継ぎ合わせて立設していけばよい。即ち連結管２側に備えられた上方向突出状の各上向嵌合ボス部１１と最下部の中間ガイドホルダ２０における下側支持アーム２６に備えられた各下向嵌合ボス部３０ａとの相互間にわたって、ガイドパイプ４の上端部および下端部がそれぞれ相対的に嵌入されて支持され、その中間ガイドホルダ２０における上側支持アーム２５に備えられた各上向嵌合ボス部２９ａとその上側に配置された中間ガイドホルダ２０における下側支持アーム２６に備えられた各下向嵌合ボス部３０ａとの相互間にわたって、ガイドパイプ４の上端部および下端部がそれぞれ相対的に嵌入されて支持されている。
【００２３】
さらに同様にして、順次上下の中間ガイドホルダ２０間にわたってガイドパイプ４が支持され、最上部の中間ガイドホルダ２０における上側支持アーム２５に備えられた各上向嵌合ボス部２９ａと貯水槽１の上部の開口部１２周縁部に装着された上ガイドホルダ１３の延設端部にそれぞれ備えられた下方向突出状の各下向嵌合ボス部１４との相互間にわたって、ガイドパイプ４の上端部および下端部がそれぞれ相対的に嵌入されて支持され、これら各ガイドパイプ４、各中間ガイドホルダ２０のボス支柱２９，３０等により水中ポンプ１５を上下方向に沿って案内するポンプガイド機構が構成される。
【００２４】
そして、水中ポンプ１５の吐出口部側には、前述同様、ポンプガイド機構の各ガイドパイプ４等に沿って上下方向にスライド案内されるスライダ１６が備えられており、昇降用クサリ１７等で吊り下げられた水中ポンプ１５のスライダ１６を、ポンプガイド機構の上方より各ガイドパイプ４間に案内し、各ガイドパイプ４等に沿ってスライダ１６による案内下、漸次下降操作することにより、最終的に下端位置で水中ポンプ１５の吐出口部と連結管２の他端開口部である導入口部とが、自動的に液密状に接続される構造とされている。
【００２５】
本実施形態において、上下に隣接する中間ガイドホルダ２０間に位置する中間のガイドパイプ４の破損等によりメンテナンスが必要となった場合には、図３に示されるように、上側の中間ガイドホルダ２０における下側支持アーム２６と、下側の中間ガイドホルダ２０における上側支持アーム２５とをそれぞれ排水管３に装着された支持基板２１から取り外すことにより、目的とする中間のガイドパイプ４のみが側方向に着脱可能となるため、その他の中間ガイドホルダ２０やガイドパイプ４を何ら取り外す必要がなく、ここに、効率よく、目的とするガイドパイプ４の着脱作業を容易に行うことができる。従って、メンテナンスが必要とされる中間のガイドパイプ４のメンテナンス作業を容易に行うことができる。
【００２６】
また、中間ガイドホルダ２０は、排水管３に装着された支持基板２１に対して上側支持アーム２５や下側支持アーム２６を着脱する構造であるため、支持基板２１を何ら取り外す必要がなく、従って支持基板２１の装着位置が変わらず、所定位置に位置しているため、再度、上下の支持アーム２５，２６やガイドパイプ４を元の位置に装着した場合におけるガイドパイプ４の上下方向の位置合わせも容易に行え、この点からもメンテナンス作業を容易に行える利点がある。
【００２７】
さらに、上下に隣接する中間ガイドホルダ２０間に位置する中間のガイドパイプ４であれば、上下方向いずれの位置のガイドパイプ４であっても同様に着脱作業が容易に行え、至便である。
【００２８】
なお、上記実施形態においては、中間ガイドホルダ２０における上側支持アーム２５と下側支持アーム２６とが、支持基板２１に対して着脱自在な構造とされているが、このような上側支持アーム２５や下側支持アーム２６を直接、排水管３側に着脱自在な構造とすることもでき、実施形態の形状や構造に何ら限定されない。
【００２９】
また、平行配置された各ガイドパイプ４等の内側に沿って、水中ポンプ１５に備えられたスライダ１６がスライド案内される構造を示しているが、各ガイドパイプ４等の外側に沿って、スライダ１６がスライド案内される構造であってもよく、何ら実施形態の構造に限定されない。
【００３０】
さらに、連結管２の側部に上向嵌合ボス部１１が備えられた構造を示しているが、連結管２の支持台２ｃ側に上向嵌合ボス部１１が備えられる構造であってもよい。
【図面の簡単な説明】
【００３１】
【図１】本発明の実施形態にかかる側面図である。
【図２】中間ガイドホルダの一部分解斜視図である。
【図３】中間のガイドパイプの着脱作業の説明図である。
【図４】従来例としての一部説明図である。
【図５】従来例としての側面図である。
【図６】図５のVI−VI線矢視図である。
【図７】中間ガイドホルダの平面図である。
【符号の説明】
【００３２】
１  貯水槽
２  連結管
３  排水管
４  ガイドパイプ
１１  上向嵌合ボス部
１３  上ガイドホルダ
１４  下向嵌合ボス部
１５  水中ポンプ
１６  スライダ
２０  中間ガイドホルダ
２１  支持基板
２２  Ｕボルト
２５  上側支持アーム
２６  下側支持アーム
２９  ボス支柱
２９ａ  上向嵌合ボス部
３０  ボス支柱
３０ａ  下向嵌合ボス部
【図１】
2007138859.tif 000003
【図２】
2007138859.tif 000004
【図３】
2007138859.tif 000005
【図４】
2007138859.tif 000006
【図５】
2007138859.tif 000007
【図６】
2007138859.tif 000008
【図７】
2007138859.tif 000009